(57)【要約】【課題】耐風圧性を確保しつつ、障子の開閉をスムーズにすることができる横辷り出し窓を提供する。【解決手段】横辷り出し窓は、建築物の開口部に設置される枠体１内に障子２が開閉可能に設けられた横辷り出し窓であって、枠体の上枠１１には、下方に延びる垂下部１２５が設けられ、障子の上框２１には、上方に延びる立設部２２３が設けられ、立設部２２３は、垂下部１２５よりも屋内側に配置され、立設部２２３の少なくとも上部と垂下部１２５の少なくとも下部とは、屋内外方向に対向配置され、立設部２２３の上部には、上方に向かうにしたがって次第に屋内側に傾斜する傾斜部２２４，２２５が設けられていることを特徴とする。【選択図】図４
2019167699.tif 000002
【特許請求の範囲】
【請求項１】
建築物の開口部に設置される枠体内に障子が開閉可能に設けられた横辷り出し窓であって、
前記枠体の上枠には、下方に延びる垂下部が設けられ、
前記障子の上框には、上方に延びる立設部が設けられ、
前記立設部は、前記垂下部よりも屋内側に配置され、
前記立設部の少なくとも上部と前記垂下部の少なくとも下部とは、屋内外方向に対向配置され、
前記立設部の上部には、上方に向かうにしたがって次第に屋内側に傾斜する傾斜部が設けられていることを特徴とする横辷り出し窓。
【請求項２】
前記上框には、取付部材が取り付けられ、
該取付部材は、
前記立設部と、
前記上框の上面に沿って前記立設部の下端部から屋外側に延びる底壁部と、
該底壁部の屋外側の端部から前記上框の屋外側に沿って延びる壁部の屋内側の面に沿って上方に延びる屋外側壁部と、を有する請求項１に記載の横辷り出し窓。
【請求項３】
前記取付部材は、前記障子の左右方向の中央に設けられている請求項２に記載の横辷り出し窓。
【発明の詳細な説明】
【技術分野】
【０００１】
本発明は、横辷り出し窓に関するものである。
【背景技術】
【０００２】
従来から、建築物の開口部に設置される建具として、横辷り出し窓が知られている。例えば、障子の左右両端部が縦枠にリンク機構を介して連結され、障子の下部が上部よりも大きく屋外側に開くように構成されたものがある。
【０００３】
この横辷り出し窓に負圧（屋内側から屋外側に向かう圧力）が生じると、障子が屋外側に大きく変位して、障子が枠体から外れてしまう可能性がある。このため、上枠に下方に向かって垂下するフィン（壁部）を設けて、障子の上框に上方に向かって立設するフィン（壁部）を設けて、これらのフィンどうしの少なくとも一部を屋内外方向に重ならせて配置して、耐風圧性を向上させたものが提案されている（例えば、下記の特許文献１参照）。
【先行技術文献】
【特許文献】
【０００４】
【特許文献１】特開２０１７−３１６９８号公報
【発明の概要】
【発明が解決しようとする課題】
【０００５】
しかしながら、上記の特許文献１に記載された横辷り出し窓では、障子の開閉時に、上枠に設けられたフィンと上框に設けられたフィンとが干渉してしまい、障子の開閉に支障をきたす虞がある。
【０００６】
そこで、本発明は、上記事情に鑑みてなされたものであり、耐風圧性を確保しつつ、障子の開閉をスムーズにすることができる横辷り出し窓を提供する。
【課題を解決するための手段】
【０００７】
上記目的を達成するために、本発明は以下の手段を採用している。
すなわち、本発明に係る横辷り出し窓は、建築物の開口部に設置される枠体内に障子が開閉可能に設けられた横辷り出し窓であって、前記枠体の上枠には、下方に延びる垂下部が設けられ、前記障子の上框には、上方に延びる立設部が設けられ、前記立設部は、前記垂下部よりも屋内側に配置され、前記立設部の少なくとも上部と前記垂下部の少なくとも下部とは、屋内外方向に対向配置され、前記立設部の上部には、上方に向かうにしたがって次第に屋内側に傾斜する傾斜部が設けられていることを特徴とする。
【０００８】
このように構成された横辷り出し窓では、枠体の上枠に設けられ下方に延びる垂下部と障子の上框に設けられ上方に延びる立設部とは、立設部の少なくとも上部と垂下部の少なくとも下部とが屋内外方向に対向配置されている。よって、負圧が生じた際には、垂下部及び立設部の互いに対向している部分が負圧を受けて抗するため、障子の屋外側への変位を軽減でき、耐風圧性を確保することができる。
また、立設部の上部には上方に向かうにしたがって次第に屋内側に傾斜する傾斜部が設けられているため、障子の開閉時、つまり障子が屋内外方向に変位する際に、立設部は上枠の垂下部の下方を通過する。よって、上框の立設部が上枠の垂下部に干渉することがないため、障子の開閉をスムーズにすることができる。
【０００９】
また、本発明に係る横辷り出し窓は、前記上框には、取付部材が取り付けられ、該取付部材は、前記立設部と、前記上框の上面に沿って前記立設部の下端部から屋外側に延びる底壁部と、該底壁部の屋外側の端部から前記上框の屋外側に沿って延びる壁部の屋内側の面に沿って上方に延びる屋外側壁部と、を有することが好ましい。
【００１０】
このように構成された横辷り出し窓では、上框に取り付けられた取付部材は、立設部と、上框の上面に沿って立設部の下端部から屋外側に延びる底壁部と、底壁部の屋外側の端部から上方に延びる屋外側壁部と、を有している。よって、取付部材は屋内外方向に沿う鉛直断面が上向き略コ字状をなしているため、取付部材の剛性が高められ、負圧に対して確実に抗することができる。
また、屋外側壁部は上框の屋外側に沿って延びる壁部の屋内側の面に沿って配置されているため、上框の壁部が屋外側壁部で補強される。
【００１１】
また、本発明に係る横辷り出し窓は、前記取付部材は、前記障子の左右方向の中央に設けられていてもよい。
【００１２】
このように構成された横辷り出し窓では、取付部材は障子の左右方向の中央に設けられているため、負圧が大きく生じる左右方向の中央で、障子の屋外側への変位を確実に軽減することができる。
【発明の効果】
【００１３】
本発明に係る横辷り出し窓によれば、耐風圧性を確保しつつ、障子の開閉をスムーズにすることができる。
【図面の簡単な説明】
【００１４】
【図１】本発明の一実施形態に係る横辷り出し窓を屋内側から見た斜視図である。
【図２】本発明の一実施形態に係る横辷り出し窓の障子が閉じた状態を示した図である。
【図３】本発明の一実施形態に係る横辷り出し窓の障子が開いた状態を示した図である。
【図４】本発明の一実施形態に係る横辷り出し窓の上部の構成を示す図であり、屋内外方向に沿う縦断面図である。
【図５】本発明の一実施形態に係る横辷り出し窓の障子が図４に示す位置から開いた状態を示し、屋内外方向に沿う縦断面図である。
【図６】本発明の一実施形態に係る横辷り出し窓の障子が図５に示す位置からさらに開いた状態を示し、屋内外方向に沿う縦断面図である。
【図７】本発明の一実施形態に係る横辷り出し窓の障子が図６に示す位置からさらに開いた状態を示し、屋内外方向に沿う縦断面図である。
【図８】本発明の一実施形態に係る横辷り出し窓の障子が図７に示す位置からさらに開いた状態を示し、屋内外方向に沿う縦断面図である。
【図９】本発明の一実施形態の変形例１に係る横辷り出し窓の上部の構成を示す図であり、屋内外方向に沿う縦断面図である。
【図１０】本発明の一実施形態の変形例２に係る横辷り出し窓の上部の構成を示す図であり、屋内外方向に沿う縦断面図である。
【発明を実施するための形態】
【００１５】
以下、本発明の一実施形態に係る横辷り出し窓について、図１から図８に基づいて説明する。
図１は、本発明の一実施形態に係る横辷り出し窓を屋内側から見た斜視図である。
図１に示すように、横辷り出し窓１００は、建築物の開口部Ｗに設けられ、四角形枠状に形成された枠体１と、枠体１に開閉可能に設けられた障子２と、を備えている。
なお、以下の説明において、屋外側と屋内側とを結ぶ方向を屋内外方向と称する。また、開口部Ｗが壁部を貫通する方向（壁部に対向する方向）から見た際の左側と右側を結ぶ水平方向を左右方向と称する。
【００１６】
枠体１は、左右方向に延在する上枠１１及び下枠１２と、上枠１１の両端部と下枠１２の両端部とをそれぞれ連結し上下方向に延在する縦枠１３と、を有している。枠体１は、屋外側に設けられたアルミ合金等の金属製の金属枠体１Ａと、その屋内側に設けられた合成樹脂製の樹脂枠体１Ｂとで構成されている。
【００１７】
障子２は、四角形状に形成された框体２０と、框体２０内に嵌め込まれたガラス２９と、を有している。
【００１８】
框体２０は、左右方向に延在する上框２１及び下框２２と、上框２１の両端部と下框２２の両端部とをそれぞれ連結し上下方向に延在する縦框２３と、を有している。框体２０は、屋外側に設けられたアルミ合金等の金属製の金属框体２０Ａと、その屋内側に設けられた合成樹脂製の樹脂框体２０Ｂとで構成されている。
【００１９】
下框２２には、障子２の開閉操作を行うレバー２５が設けられている。また、下框２２及び下枠１２には、レバー２５の操作に伴って、障子２をロック及びロック解除可能な施錠装置（不図示）が設けられている。
【００２０】
図２は、障子２が閉じた状態を示した図である。図３は、障子２が開いた状態を示した図である。図２及び図３は、一方の縦枠１３側を左右方向の中央側から見た図であり、障子２を二点鎖線で示している。
図２及び図３に示すように、障子２は、開いた際には、下方に向かうにしたがって次第に枠体１から離間して屋外側に向かうように傾斜した姿勢となる。
【００２１】
縦枠１３と障子２とは、ステー３０及び支持ブラケット４０により連結されている。ステー３０及び支持ブラケット４０は、左右方向の両側にそれぞれ設けられている。
【００２２】
ステー３０は、縦枠１３の上部と障子２の縦框２３の上部とを連結している。ステー３０は、リンクベース３１と、第一リンクアーム３２と、第二リンクアーム３３と、第三リンクアーム３４と、を有している。
【００２３】
リンクベース３１は、縦枠１３の上部で、縦框２３側（左右方向の中央側）を向く面に設けられている。リンクベース３１は、縦枠１３に螺子３１ｚで複数箇所に螺子止めされている。
【００２４】
第一リンクアーム３２の下端部は、リンクベース３１の上部に、左右方向を向く第一上部リンク軸３６を中心として回動可能に連結されている。
【００２５】
第一リンクアーム３２の上端部は、第二リンクアーム３３の上端部に、左右方向を向く第二上部リンク軸３７を中心として回動可能に連結されている。
【００２６】
第二リンクアーム３３は、縦框２３の上部で、縦枠１３側（左右方向の端部側）を向く面に設けられている。第二リンクアーム３３は、縦框２３に螺子３３ｚで複数箇所に螺子止めされている。
【００２７】
第二リンクアーム３３の下部は、第三リンクアーム３４の上端部に、左右方向を向く第三上部リンク軸３８を中心として回動可能に連結されている。
【００２８】
第三リンクアーム３４の下端部は、リンクベース３１の下部に、左右方向を向く第四上部リンク軸３９を中心として回動可能に連結されている。
【００２９】
支持ブラケット４０は、縦枠１３の下部と縦框２３の下部とを連結している。支持ブラケット４０は、枠ベース４１と、框ベース４２と、第一支持アーム４３と、第二支持アーム４４と、を有している。
【００３０】
枠ベース４１は、縦枠１３の上部で、縦框２３側（左右方向の中央側）を向く面に設けられている。枠ベース４１は、縦枠１３に螺子４１ｚで複数箇所に螺子止めされている。
【００３１】
框ベース４２は、縦框２３の下部に、縦枠１３側を向く面に設けられている。框ベース４２は、縦框２３に螺子４２ｚで複数箇所に螺子止めされている。
【００３２】
第一支持アーム４３の下端部は、枠ベース４１に、左右方向を向く第一下部リンク軸４６を中心として回動可能に連結されている。
【００３３】
第一支持アーム４３の上端部は、第二支持アーム４４の上端部に、左右方向を向く第二下部リンク軸４７を中心として回動可能に連結されている。
【００３４】
第二支持アーム４４の下端部は、框ベース４２に、左右方向を向く第三下部リンク軸４８を中心として回動可能に連結されている。
【００３５】
次に、上枠１１の構成について説明する。
図４は、横辷り出し窓１００の上部の構成を示す図であり、屋内外方向に沿う縦断面図である。
図４に示すように、上枠１１は、金属枠体１Ａの金属上枠１１Ａは、屋外側に配置された外側金属上枠１１１Ａと屋内側に配置された内側金属上枠１１２Ａとが、樹脂製のブリッジ材１１３を挟んで連結されている。内側金属上枠１１２Ａの下部には、樹脂製の樹脂上枠１１Ｂが連結されている。
【００３６】
外側金属上枠１１１Ａは、上部枠板部１２１と、下部枠板部１２２と、外側連結部１２３と、内側連結部１２４と、を有している。
【００３７】
上部枠板部１２１は、板状に形成されている。上部枠板部１２１は、板厚方向を上下方向に向けて配置されている。
【００３８】
下部枠板部１２２は、上部枠板部１２１の下方に配置されている。下部枠板部１２２は、板状に形成されている。下部枠板部１２２は、板厚方向を上下方向に向けて配置されている。下部枠板部１２２の下面１２２ｄは、障子２の上框２１に対向している。
【００３９】
外側連結部１２３は、上部枠板部１２１の屋外側の部分と下部枠板部１２２の屋外側の部分とを連結している。内側連結部１２４は、上部枠板部１２１の屋内側の部分と下部枠板部１２２の屋内側の部分とを連結している。
【００４０】
下部枠板部１２２には、下方に向かって延びる枠側フィン（垂下部）１２５が設けられている。枠側フィン１２５は、上枠１１の延在方向にわたって設けられている。
【００４１】
枠側フィン１２５は、第一垂下壁部１２６と、傾斜壁部１２７と、第二垂下壁部１２８と、を有している。
【００４２】
第一垂下壁部１２６は、下部枠板部１２２から鉛直下方に向かって延びている。第一垂下壁部１２６は、板状に形成されている。第一垂下壁部１２６は、板厚方向を屋内外方向に向けて配置されている。
【００４３】
傾斜壁部１２７は、第一垂下壁部１２６の下端部から、下方に向かうにしたがって次第に屋外側に傾斜するように延びている。傾斜壁部１２７は、板状に形成されている。傾斜壁部１２７は、該傾斜壁部１２７の傾斜方向と直交する方向に向けて配置されている。
【００４４】
第二垂下壁部１２８は、傾斜壁部１２７の下端部から鉛直下方に向かって延びている。第二垂下壁部１２８は、板状に形成されている。第二垂下壁部１２８は、板厚方向を屋内外方向に向けて配置されている。
【００４５】
次に、上框２１の構成について説明する。
上框２１は、屋外側に配置された金属框体２０Ａの金属上框２１Ａと、屋内側に配置された樹脂框体２０Ｂの樹脂上框２１Ｂとが連結されている。
【００４６】
金属上框２１Ａは、上部框板部２１１と、外側框板部（壁部）２１２と、を有している。上部框板部２１１は、上枠１１の下部枠板部１２２の下方に配置されている。
【００４７】
上部框板部２１１は、板状に形成されている。上部框板部２１１は、板厚方向を上下方向に向けて配置されている。上部框板部２１１の下面は、ガラス２９の周縁部が配置される溝２８の底部（ガラス２９の端面側を向く面）を形成している。上部框板部２１１の屋内側の端部は、樹脂上框２１Ｂに連結されている。
【００４８】
外側框板部２１２は、上部框板部２１１の屋外側に、上下方向に沿って配置されている。外側框板部２１２は、板状に形成されている。外側框板部２１２は、板厚方向を屋内外方向に向けて配置されている。
【００４９】
上部框板部２１１の屋内外方向の中間には、上方に延びる中間框板部２１６が設けられている。中間框板部２１６は、板状に形成されている。中間框板部２１６は、板厚方向を屋内外方向に向けて配置されている。
【００５０】
上部框板部２１１の上面２１１ｕに沿って、補強材（取付部材）２２０が設けられている。補強材２２０は、上框２１の延在方向（左右方向）の中央に設けられている。
【００５１】
補強材２２０は、底板部（底壁部）２２１と、外側板部（屋外側壁部）２２２と、框側フィン（立設部）２２３と、を有している。底板部２２１、外側板部２２２及び框側フィン２２３は、一体として形成されている。例えば、補強材２２０は、ステンレス鋼板で形成されている。
【００５２】
底板部２２１は、上部框板部２１１の上面２１１ｕに沿って配置されている。底板部２２１は、板状に形成されている。底板部２２１は、板厚方向を上下方向に向けて配置されている。
【００５３】
底板部２２１には、上下方向に貫通する取付孔２２１ｈが形成されている。取付孔２２１ｈに挿通された螺子２２１ｚは、上部框板部２１１にねじ込まれている。螺子２２１ｚは、左右方向に離間して複数箇所に螺子止めされている。
【００５４】
外側板部２２２は、底板部２２１の屋外側の端部から上方に向かって延びている。外側板部２２２は、板状に形成されている。外側板部２２２は、板厚方向を屋内外方向に向けて配置されている。
【００５５】
框側フィン２２３は、第一傾斜板部（傾斜部）２２４と、第二傾斜板部（傾斜部）２２５と、延出板部２２６と、を有している。框側フィン２２３は、上枠１１の枠側フィン１２５よりも屋内側に配置されている。
【００５６】
第一傾斜板部２２４は、底板部２２１の屋内側の端部から、上方に向かうにしたがって次第に屋内側に傾斜するように延びている。第一傾斜板部２２４は、板状に形成されている。第一傾斜板部２２４は、板厚方向を該第一傾斜板部２２４の傾斜方向と直交する方向に向けて配置されている。
【００５７】
第二傾斜板部２２５は、第一傾斜板部２２４の屋内側の端部から、上方に向かうにしたがって次第に屋内側に傾斜するように延びている。第二傾斜板部２２５の傾斜角（第二傾斜板部２２５の延在方向と水平面とのなす角度）は、第一傾斜板部２２４の傾斜角（第一傾斜板部２２４の延在方向と水平面とのなす角度）よりも小さい。第二傾斜板部２２５は、板状に形成されている。第二傾斜板部２２５は、板厚方向を該第二傾斜板部２２５の傾斜方向と直交する方向に向けて配置されている。
【００５８】
第一傾斜板部２２４と第二傾斜板部２２５との接続部分の下面は、金属上框２１Ａの中間框板部２１６の上端部に当接している。
【００５９】
延出板部２２６は、第二傾斜板部２２５の屋内側の端部から屋内側に向かって延びている。延出板部２２６は、板状に形成されている。延出板部２２６は、板厚方向を上下方向に向けて配置されている。
【００６０】
框側フィン２２３と上枠１１の枠側フィン１２５とでは、框側フィン２２３の第一傾斜板部２２４の上部、第二傾斜板部２２５及び延出板部２２６と枠側フィン１２５の傾斜壁部１２７及び第二垂下壁部１２８とが、屋内外方向に対向（屋内外方向に重なって）配置されている。
【００６１】
補強材２２０では、屋内外方向に沿う鉛直断面が上向き略コ字状をなしているため、剛性が高められている。また、第一傾斜板部２２４が下方に向かうにしたがって次第に屋外側に傾斜するように形成されているため、外側板部２２２と第一傾斜板部２２４との距離は上側よりも下側の方が短い。これにより、補強材２２０を金属上框２１Ａの上部框板部２１１上に配置する際には、外側框板部２１２と中間框板部２１６との間に嵌め込みやすい。
【００６２】
次に、障子２の開閉時の動作について説明する。
図２に示す障子２が閉じた状態から、操作者が障子２の下端部に設けられたレバー２５（図１参照。以下同じ。）を持って屋外側に押す。図３に示すように、ステー３０では、第一リンクアーム３２は、上端部に設けられた第二上部リンク軸３７及び下端部に設けられた第一上部リンク軸３６を中心に回動する。また、第三リンクアーム３４は、上端部に設けられた第三上部リンク軸３８及び下端部に設けられた第四上部リンク軸３９を中心に回動する。
【００６３】
第一リンクアーム３２及び第三リンクアーム３４は、上端部を屋外側に向けるように傾斜して、障子２が下端部を上端部よりも大きく屋外側に変位させて枠体１内を開放する。
【００６４】
また、支持ブラケット４０では、第一支持アーム４３は、下端部に設けられた第一下部リンク軸４６及び上端部に設けられた第二下部リンク軸４７を中心に回動する。また、第二支持アーム４４は、上端部に設けられた第二下部リンク軸４７及び下端部に設けられた第三下部リンク軸４８を中心に回動する。障子２が開くにともない、第一支持アーム４３と第二支持アーム４４とは、下端部どうしを離間させるようにそれぞれ回動する。
【００６５】
図５は、障子２が図４に示す位置から開いた状態を示し、屋内外方向に沿う縦断面図である。図６は、障子２が図５に示す位置からさらに開いた状態を示し、屋内外方向に沿う縦断面図である。図７は、障子２が図６に示す位置からさらに開いた状態を示し、屋内外方向に沿う縦断面図である。図８は、障子２が図７に示す位置からさらに開いた状態を示し、屋内外方向に沿う縦断面図である。
【００６６】
上記の横辷り出し窓１００において、図４に示す障子２が枠体１内を閉塞する閉位置から枠体１内を開放する開位置への変位する際には、図５及び図６に示すように、上框２１に設けられた補強材２２０の第一傾斜板部２２４が、上枠１１に設けられた枠側フィン１２５の下方を通過する。さらに、障子２が変位すると、図７及び図８に示すように、補強材２２０の第二傾斜板部２２５が、上枠１１に設けられた枠側フィン１２５の下方を通過する。このように、補強材２２０が枠側フィン１２５に干渉することなく、障子２は開位置へと変位する。
また、開位置から閉位置へは、障子２が上記の軌跡を逆に変位して、上記と同様に補強材２２０が枠側フィン１２５に干渉することがない。
【００６７】
このように構成された横辷り出し窓１００では、上枠１１に設けられた枠側フィン１２５と上框２１に設けられた補強材２２０の框側フィン２２３とでは、枠側フィン１２５の傾斜壁部１２７及び第二垂下壁部１２８と補強材２２０の第一傾斜板部２２４の上部、第二傾斜板部２２５及び延出板部２２６とが、屋内外方向に対向（屋内外方向に重なって）配置されている。よって、負圧が生じた際には、枠側フィン１２５及び框側フィン２２３の互いに対向している部分が負圧を受けて抗するため、障子２の屋外側への変位を軽減でき、耐風圧性を確保することができる。
【００６８】
また、框側フィン２２３の上部には上方に向かうにしたがって次第に屋内側に傾斜する第一傾斜板部２２４及び第二傾斜板部２２５が設けられているため、障子２の開閉時、つまり障子２が屋内外方向に変位する際に、框側フィン２２３は上枠１１の枠側フィン１２５の下方を通過する。よって、框側フィン２２３が枠側フィン１２５に干渉することがないため、障子２の開閉をスムーズにすることができる。
【００６９】
また、框側フィン２２３では、第一傾斜板部２２４の上部に設けられた第二傾斜板部２２５の傾斜角は、第一傾斜板部２２４の傾斜角よりも小さい。よって、障子２の開閉時に、框側フィン２２３が枠側フィン１２５に干渉することがより一層抑制される。
【００７０】
また、框側フィン２２３において、第一傾斜板部２２４の上部に、第一傾斜板部２２４の傾斜角よりも小さい傾斜角で形成された第二傾斜板部２２５を設けることにより、框側フィン２２３の高さが確保される。よって、枠側フィン１２５と框側フィン２２３との間で、屋内外方向に対向する部分の高さが確保されるため、耐風圧性をより一層確保することができる。
【００７１】
また、補強材２２０は、上框２１の上面に沿って配置された底板部２２１と、底板部２２１の屋外側の端部から上方に延びる外側板部２２２と、底板部２２１の屋内側の端部から上方に延びる框側フィン２２３と、を有している。よって、補強材２２０は屋内外方向に沿う鉛直断面が上向き略コ字状をなしているため、補強材２２０の剛性が高められ、負圧に対して確実に抗することができる。
【００７２】
また、外側板部２２２は上框２１の屋外側に沿って延びる外側框板部２１２の屋内側の面に沿って配置されているため、上框２１の外側框板部２１２が外側板部２２２で補強される。
【００７３】
また、補強材２２０は障子２の左右方向の中央に設けられているため、負圧が大きく生じる左右方向の中央で、障子２の屋外側への変位を確実に軽減することができる。
【００７４】
また、横辷り出し窓１００の施工誤差等により障子２が上方に設置されてしまった場合、補強材２２０の延出板部２２６が無いと、図８に示す開位置から障子２を閉塞する際に、第二傾斜板部２２５の上端部が枠側フィン１２５の下端部に接触してしまい、第二傾斜板部２２５が枠側フィン１２５を屋内側に乗り越えることができず、障子２が閉じない可能性がある。本実施形態では、補強材２２０に延出板部２２６を設けることで、障子２が上方に設置されてしまった場合、延出板部２２６が枠側フィン１２５の下端部に当接させて、延出板部２２６上に枠側フィン１２５を滑らせて、障子２が閉じることができる。
【００７５】
（変形例１）
次に、本発明の変形例１に係る横辷り出し窓について、主に図９を用いて説明する。
図９は、本発明の一実施形態の変形例１に係る横辷り出し窓の上部の構成を示す図であり、屋内外方向に沿う縦断面図である。なお、図９において、開閉時の障子の軌跡を二点鎖線で示している。
下記に示す変形例の説明において、前述した部材と同一の部材には同一の符号を付して、その説明を省略する。
【００７６】
図９に示すように、本変形例では、補強材（取付部材）２２０Ａの框側フィンン（立設部）２２３Ａは、立ち上がり板部２２７と、傾斜板部（傾斜部）２２８と、折り返し板部２２９と、を有している。框側フィン２２３Ａは、上枠１１の枠側フィン１２５よりも屋内側に配置されている。
【００７７】
立ち上がり板部２２７は、底板部２２１の屋内側の端部から鉛直上方に延びている。立ち上がり板部２２７は、板状に形成されている。立ち上がり板部２２７は、板厚方向を屋内外方向に向けて配置されている。立ち上がり板部２２７は、金属上框２１Ａの中間框板部２１６よりも屋外側に配置されている。
【００７８】
傾斜板部２２８は、立ち上がり板部２２７の上端部から、上方に向かうにしたがって次第に屋内側に傾斜するように延びている。傾斜板部２２８は、板状に形成されている。傾斜板部２２８は、板厚方向を該傾斜板部２２８の傾斜方向と直交する方向に向けて配置されている。傾斜板部２２８の下面は、金属上框２１Ａの中間框板部２１６の上端部に当接している。
【００７９】
折り返し板部２２９は、傾斜板部２２８の屋内側の端部から傾斜板部２２８の下面に沿って折り返されている。換言すると、折り返し板部２２９は、下方に向かうにしたがって次第に屋外側に傾斜するように延びている。折り返し板部２２９は、板状に形成されている。折り返し板部２２９は、板厚方向を該折り返し板部２２９の傾斜方向と直交する方向に向けて配置されている。
【００８０】
框側フィン２２３Ａと上枠１１の枠側フィン１２５とでは、框側フィン２２３Ａの立ち上がり板部２２７の上部及び傾斜板部２２８と枠側フィン１２５の傾斜壁部１２７及び第二垂下壁部１２８とが、屋内外方向に対向（屋内外方向に重なって）配置されている。
【００８１】
補強材２２０Ａでは、屋内外方向に沿う鉛直断面が上向き略コ字状をなしているため、剛性が高められている。また、補強材２２０Ａの外側板部２２２と立ち上がり板部２２７との距離が金属上框２１Ａの外側框板部２１２と中間框板部２１６との距離よりも短いため、補強材２２０Ａを金属上框２１Ａの上部框板部２１１上に配置する際には、外側框板部２１２と中間框板部２１６との間に配置しやすい。
【００８２】
上記の横辷り出し窓１００Ａにおいて、図９に実線で示す障子２が枠体１内を閉塞する閉位置から、図９に二点鎖線で示す障子２が枠体１内を開放する開位置への変位する際には、上框２１に設けられた補強材２２０Ａの立ち上がり板部２２７が、上枠１１に設けられた枠側フィン１２５の下方を通過する。さらに、障子２が変位すると、補強材２２０Ａの傾斜板部２２８及び折り返し板部２２９が、上枠１１に設けられた枠側フィン１２５の下方を通過する。このように、補強材２２０Ａが枠側フィン１２５に干渉することなく、障子２は開位置へと変位する。
また、開位置から閉位置へは、障子２が上記の軌跡を逆に変位して、上記と同様に補強材２２０が枠側フィン１２５に干渉することがない。
【００８３】
このように構成された横辷り出し窓１００Ａでは、上枠１１に設けられた枠側フィン１２５と上框２１に設けられた補強材２２０Ａの框側フィン２２３Ａとでは、枠側フィン１２５の傾斜壁部１２７及び第二垂下壁部１２８と補強材２２０Ａの立ち上がり板部２２７の上部及び傾斜板部２２８とが、屋内外方向に対向（屋内外方向に重なって）配置されている。よって、負圧が生じた際には、枠側フィン１２５及び框側フィン２２３Ａの互いに対向している部分が負圧を受けて抗するため、障子２の屋外側への変位を軽減でき、耐風圧性を確保することができる。
【００８４】
また、框側フィン２２３Ａの上部には上方に向かうにしたがって次第に屋内側に傾斜する傾斜板部２２８及び折り返し板部２２９が設けられているため、障子２の開閉時、つまり障子２が屋内外方向に変位する際に、框側フィン２２３Ａは上枠１１の枠側フィン１２５の下方を通過する。よって、框側フィン２２３Ａが枠側フィン１２５に干渉することがないため、障子２の開閉をスムーズにすることができる。
【００８５】
また、框側フィン２２３Ａの傾斜板部２２８の下面には折り返し板部２２９が設けられているため、傾斜板部２２８が折り返し板部２２９で補強され、傾斜板部２２８の剛性が高められる。
【００８６】
（変形例２）
次に、本発明の変形例２に係る横辷り出し窓について、主に図１０を用いて説明する。
図１０は、本発明の一実施形態の変形例２に係る横辷り出し窓の上部の構成を示す図であり、屋内外方向に沿う縦断面図である。
【００８７】
図１０に示すように、本変形例では、補強材（取付部材）２２０Ｂの框側フィンン（立設部）２２３Ｂは、立ち上がり板部２２７と、傾斜板部（傾斜部）２２８と、延出板部２３０と、下向き板部２３１と、を有している。框側フィン２２３Ｂは、上枠１１の枠側フィン１２５よりも屋内側に配置されている。
【００８８】
延出板部２３０は、傾斜板部２２８の屋内側の端部から屋内側に延びている。延出板部２３０は、板状に形成されている。延出板部２３０は、板厚方向を上下方向に向けて配置されている。
【００８９】
下向き板部２３１は、延出板部２３０の屋内側の端部から下方に延びている。下向き板部２３１は、板状に形成されている。下向き板部２３１は、板厚方向を屋内外方向に向けて配置されている。下向き板部２３１の下端部は、上框２１の上面に当接している。
【００９０】
框側フィン２２３Ｂと上枠１１の枠側フィン１２５とでは、框側フィン２２３Ｂの立ち上がり板部２２７の上部、傾斜板部２２８及び延出板部２３０と枠側フィン１２５の傾斜壁部１２７及び第二垂下壁部１２８とが、屋内外方向に対向（屋内外方向に重なって）配置されている。さらに、框側フィン２２３Ｂの下向き板部２３１は、枠側フィン１２５の傾斜壁部１２７及び第二垂下壁部１２８と屋内外方向に重なって配置されるとともに、框側フィン２２３Ｂの立ち上がり板部２２７、傾斜板部２２８及び延出板部２３０と屋内外方向に重なって配置されている。
【００９１】
補強材２２０Ｂでは、屋内外方向に沿う鉛直断面が略Ｓコ字状をなしているため、剛性が高められている。また、補強材２２０Ｂの外側板部２２２と立ち上がり板部２２７との距離が金属上框２１Ａの外側框板部２１２と中間框板部２１６との距離よりも短いため、補強材２２０Ｂを金属上框２１Ａの上部框板部２１１上に配置する際には、外側框板部２１２と中間框板部２１６との間に配置しやすい。
【００９２】
このように構成された横辷り出し窓１００Ｂでは、上枠１１に設けられた枠側フィン１２５と上框２１に設けられた補強材２２０Ｂの框側フィン２２３Ｂとでは、枠側フィン１２５の傾斜壁部１２７及び第二垂下壁部１２８と補強材２２０Ｂの立ち上がり板部２２７の上部、傾斜板部２２８及び延出板部２３０とが、屋内外方向に対向（屋内外方向に重なって）配置されている。さらに、補強材２２０Ｂの下向き板部２３１は、枠側フィン１２５の傾斜壁部１２７及び第二垂下壁部１２８と屋内外方向に重なって配置されるとともに、框側フィン２２３Ｂの立ち上がり板部２２７、傾斜板部２２８及び延出板部２３０と屋内外方向に重なって配置されている。よって、負圧が生じた際には、枠側フィン１２５及び框側フィン２２３Ｂの互いに屋内外方向に重なっている部分が負圧を受けて抗するため、障子２の屋外側への変位を軽減でき、耐風圧性を確保することができる。
【００９３】
また、框側フィン２２３Ｂの上部には上方に向かうにしたがって次第に屋内側に傾斜する傾斜板部２２８が設けられているため、障子２の開閉時、つまり障子２が屋内外方向に変位する際に、框側フィン２２３Ｂは上枠１１の枠側フィン１２５の下方を通過する。よって、框側フィン２２３Ｂが枠側フィン１２５に干渉することがないため、障子２の開閉をスムーズにすることができる。
【００９４】
なお、上述した実施の形態において示した各構成部材の諸形状や組み合わせ等は一例であって、本発明の主旨から逸脱しない範囲において設計要求等に基づき種々変更可能である。
【００９５】
例えば、上記に示す実施形態では、補強材２２０は上框２１とは別体で設けられ、上框２１に螺子止めされているが、本発明はこれに限られない。上方に向かうにしたがって次第に屋内側に傾斜する傾斜部を有する立設部が上框に設けられていればよく、例えば、金属上框２１Ａの上部框板部２１１から立設部が直接立ち上がるように設けられていてもよい。
【００９６】
また、上記に示す実施形態では、補強材２２０は底板部２２１と外側板部２２２とを有しているが、本発明はこれに限られない。例えば、補強材の立設部が金属上框２１Ａの中間框板部２１６等に固定される構成であってもよい。
【００９７】
また、上記に示す実施形態では、補強材２２０は上框２１の左右方向の中央に設けられているが、本発明はこれに限られず、障子の左右方向に離間して複数箇所に設けられていたり、上框２１の延在方向の略全長にわたって設けられていたりしてもよい。
【符号の説明】
【００９８】
１…枠体
２…障子
１１…上枠
１２…下枠
１３…縦枠
１４…見込み板部
２０…框体
２１…上框
２２…下框
２３…縦框
２５…レバー
２９…ガラス
３０…ステー
３１…リンクベース
３２…第一リンクアーム
３３…第二リンクアーム
３４…第三リンクアーム
３６…第一上部リンク軸
３７…第二上部リンク軸
３８…第三上部リンク軸
３９…第四上部リンク軸
４０…支持ブラケット
４１…枠ベース
４２…框ベース
４３…第一支持アーム
４４…第二支持アーム
４６…第一下部リンク軸
４７…第二下部リンク軸
４８…第三下部リンク軸
１００…横辷り出し窓
１２５…枠側フィン（垂下部）
２１２…外側框板部（壁部）
２２０…補強材（取付部材）
２２１…底板部（底壁部）
２２２…外側板部（屋外側壁部）
２２３…框側フィン（立設部）
２２４…第一傾斜板部（傾斜部）
２２５…第二傾斜板部（傾斜部）
２２６…延出板部
Ｗ…開口部
【図１】
2019167699.tif 000003
【図２】
2019167699.tif 000004
【図３】
2019167699.tif 000005
【図４】
2019167699.tif 000006
【図５】
2019167699.tif 000007
【図６】
2019167699.tif 000008
【図７】
2019167699.tif 000009
【図８】
2019167699.tif 000010
【図９】
2019167699.tif 000011
【図１０】
2019167699.tif 000012